(57)【要約】【課題】工場や作業現場の如き場所にて使用する携帯機として、無線電話機がある。無線電話機は、腰に装着し、耳と口とにイヤホンマイクを取りつけ、操作は無線電話機を取り出して行う。これを使い勝手よく、作業にも負担なく行えるような装置にしたい。【解決手段】本発明では、無線電話機を、本体１００と操作器２００とに別体化し、本体１００をヘルメット１０１に装着可能にし、操作器２００を胸ポケット等に挿入可能にした。更に本体１００とマイク１０３、イヤホン１０４とを有線にてつないだ。本体１００と操作器２００とは無線通話でインターフェースする。【選択図】図１
2009171002.tif 000002
【特許請求の範囲】
【請求項１】
音声入出力部と、通信用無線部と、操作対応無線部と、カメラと、これらの入出力端と通信用及び操作対応の無線部とカメラとにつながり制御を行う制御部と、を少なくとも具えるヘルメット装着用電話機本体と、
この電話機本体に設けたヘルメット装着部と、
通話用イヤホン／マイク部と、
このイヤホンマイク部と上記電話機本体の音声入出力部とを電気的につなぐ有線路と、
操作用キーと、表示部と、操作用無線部と、これらのキ−と表示部と操作用無線部につながり制御を行う制御部と、を具えて、操作用キー及び又は表示部による操作内容を操作用無線部を介して装着用電話機本体の操作対応無線部に送る携帯操作器と、
を備える無線電話機。
【発明の詳細な説明】
【技術分野】
【０００１】
本発明は、工場や作業現場などで使用する無線電話機に関する。
【背景技術】
【０００２】
工場や作業現場などを含む事業所内で使用する無線電話機は、携帯電話と同様な機器であるが、イヤホンマイクを使う点での相異がある。従ってイヤホンマイクを作業員（監視員やガードマンも含む）の耳や口に装着したまま、それにつながる電話機そのものはポケットに入れて持ち運び、使用時には電話機自体を取り出して操作して使う。この使用例を図５に示す。図５で、無線電話機（電話機本体と操作部とより成るもの）１は作業員Ａの腰のベルトに装着しており、使用時には装着をはずして手に持つ。作業員の頭部ヘルメット１００には、イヤホンアセンブル（端末）３００を装着し、そのアセンブル３００からはマイク１０１、イヤホン１０２が導出しており通話に使用する。アセンブル３００は、無線電話機１とケーブル３０１にてつながっている。
尚、携帯電話機に関しての、常時着用可能で通話中に両手作業が行えるようにした従来例に、特許文献１がある。
【特許文献１】特開平１０−５１５２７
【０００３】
この従来例は、電話機本体と通話部とを分離した上でそれをワイヤレス化で電気的に接続をはかると共に、イヤホン／マイクを含む通話部を眼鏡サイドフレームに取り付け、手首に携帯電話機本体を取り付けた事例である。携帯電話機本体は、手首に巻回可能なリング形状をなし、そこに表示部とダイヤル部とをリングに沿って形成した。
かくして、通話部と携帯電話機本体とを身体に着用しながら、通話中に両手作業を実現する。
【発明の開示】
【発明が解決しようとする課題】
【０００４】
前述した図５の携帯形の電話機にあっては、耳や口の周辺まで無線電話機１からケーブル３０１（有線路）でイヤホンマイクにつながる。従って、ケーブル３０１の途中が身体にまとわりつき作業の邪魔になる。イヤホンマイクアセンブル３００をワイヤレス化が考えられるが、音声通信はリアルタイム性が重視され、通話音途切れ等を最小限にすることが要求される。然るに、無線電話機とイヤホンマイクをワイヤレスした場合、有線接続に比べ通話音途切れ等の発生確率が高いとの問題がある。
【０００５】
更に、無線電話機１は、電話機本体と操作部とを持ち、両者は一体化されている。従って、操作するには、電話機１を持ち、操作部への手動による操作を行うことで通話等の実現をはかる。電話機を持っての操作部への操作は、作業員の負担を招く。
【０００６】
一方、特許文献１は、電話機本体と通話部とを分離し、ワイヤレス化することで作業性の向上につながる利点を持つ。しかし、通話部本体のメガネの取付は、メガネの重みの負担がかかり、作業員の作業効率の妨げとなる。また上述したように、無線機本体と通話部をワイヤレス化するため、有線接続に比べ通話音途切れ等の発生確率が高くなる問題が生じる可能性がある。
【０００７】
本発明の目的は、作業用のヘルメットに装着可能で且つ操作性を向上し、音声の途切れ等をなくして通話を可能にする無線電話機を提供するものである。
【課題を解決するための手段】
【０００８】
本発明は、音声入出力部と、通信用無線部と、操作対応無線部と、カメラと、これらの入出力端と通信用及び操作対応の無線部とカメラとにつながり制御を行う制御部と、を少なくとも具えるヘルメット装着用電話機本体と、
この電話機本体に設けたヘルメット装着部と、
通話用イヤホン／マイク部と、
このイヤホンマイク部と上記電話機本体の音声入出力部とを電気的につなぐ有線路と、
操作用キーと、表示部と、操作用無線部と、これらのキ−と表示部と操作用無線部につながり制御を行う制御部と、を具えて、操作用キー及び又は表示部による操作内容を操作用無線部を介して装着用電話機本体の操作対応無線部に送る携帯操作器と、
を備える無線電話機を開示する。
【０００９】
更に本発明は、ヘルメット装着部を有する電話機本体と、
この電話機本体に有線にてつながるイヤホン／マイク部と、
上記電話機本体に無線にてつながる携帯操作器と、
を備える無線電話機を開示する。
【発明の効果】
【００１０】
本発明によれば、無線電話機を本体と操作器とに分離し、操作器のみを取り出して操作できるとの利便性、並び本体をヘルメットに装着可能にし且つイヤホンマイクとを近接して有線にてつないだが故に通話途切れがない通話しやすくなるとの使い勝手、とを実現した。
【発明を実施するための最良の形態】
【００１１】
図１は本発明の事業所内で使用する無線電話機を作業員Ａに取り付けた使用例を示す。無線電話機は、無線電話機本体１００と操作器２００とに別体化しており、無線電話機本体１００は頭部保護用作業ヘルメット１０１の側面に取りつける。操作器２００は作業員の上着の胸ポケット１０２に収納する。
【００１２】
無線電話機本体１００とヘルメット１０１とは、例えば両者の装着部位にマジックテープ（登録商標）をはり合わせておき、それを嵌合させることで、本体１００をヘルメット１０１に装着させる。他の装着例としては、ヘルメット１０１に装着用ガイド部材にスライド装着可能なようなスライド部材を接着させて、両者を結合させるやり方がある。その他にもチャック機構を含む種々の装着例があることは云うまでもない。
【００１３】
本体１００には、イヤホン／マイクアセンブル部（端末）３００を取りつけてある。イヤホン／マイクアセンブル部３００とは、イヤホンへの音声出力部とマイクからの音声入力部とを、機能上及び、構造上一体化した部材であり、本体１００側の外部音声入出力部（図４の５）に電気的につながっている（例えば入出力部５の入出力端に差し込み装着）。
【００１４】
イヤホン／マイクアセンブル部３００は、作業員Ａの口元に配置可能なマイク１０３と耳に装着されるイヤホン１０４とを持ち、マイク１０３、イヤホン１０４はケーブルやリード線などの有線路でアセンブル部３００の音声入力部、音声出力部につながる。
【００１５】
電話機本体１００と操作器２００とは有線ではなく無線にて通信を行うものとしている。そのために、本体１００と操作器２００とは、無線通信可能なような無線部を相互に持つ。
【００１６】
図２は操作器２００の外観図を示す。操作器２００はポケット収納可能な小型サイズ（例えば縦×横×幅＝１０×３．５×０．７センチのサイズで重さは５０ｇ程度）である。
【００１７】
図２で操作器２００は、表示部２０１とテンキー部２０２、その他に、カメラ操作や振動部であるバイブレータ等の初期設定等を行う操作ガイド部２０３より成る。これらの部位２０１〜２０３は、通常の携帯電話機と同様の機能を果たす。操作器２００の内部には、上記各部位２０１〜２０３の機能実現手段及び上記した無線部とがある。
【００１８】
以上の実施例によれば、無線電話機を構成する無線電話機本体１００はヘルメット１０１に装着され、操作器２００は、上着の胸ポケット１０２に収納される。使用時には、胸ポケット１０２から操作器２００を取り出し、作業員Ａが操作器２００を操作することで、マイク１０３、イヤホン１０４を介して通話を行う。尚、着信は、バイブレータで作業員Ａが感知し、同様の通話となる。
【００１９】
この実施例による効果は以下の通りとなる。
（１）無線電話機を本体１００と操作器２００とに分離し、本体１００をヘルメット１０１に装着し操作器２００をポケット収納可にしたことで、作業への負担が少なく無線電話機としての操作を簡便に行える。
（２）マイク１０３、イヤホン１０４とがケーブル等の有線路を通じてイヤホンマイクアセンブル３００につながり、更に本体１００につながることで、会話のとぎれを解消でき、且つイヤホン２００が耳に直結に近い状態で維持されるためその線路が作業の邪魔になることもない。
（３）操作器２００と本体１００とが無線にてつながっていることから、空間的に独立分離した状態にて使用でき、作業への負担は少ない。
（４）ヘルメットに無線機本体を取り付ける構造としたため、図５の従来例での腰に無線機本体を取り付ける構成に比し、受信感度が向上するとの利点がある。
【００２０】
図３は、図１の本体１００と操作器２００とを含む無線電話機の内部構成例（機能ブロック例）図である。。
【００２１】
図３で、本体１００は、通信用無線部２、操作用無線部３、制御部４、外部音声入出力部５、カメラ部６、電源入力部７、バッテリ部８、より成る。
【００２２】
外部音声入出力部５は、外部のイヤホンマイク部３０（図１のマイク１０３、イヤホン１０４、マイクイヤホンアセンブル部３００を含む総称）につながる部位であり、マイクからの音の入力、及びイヤホンへの音の出力、を行うインターフェースである。
【００２３】
通信用無線部２は、外部無線基地局等とアンテナ９を介して通信を行うものであって、送信部１０と受信部１１とを有する。
【００２４】
操作用無線部３は、操作器２００との間の無線通信を行うものであり、送信部１２と受信部１３とを有する。
【００２５】
カメラ部６は、本体に内蔵され、固定角維持可能又は作業員Ａの操作による可変角度調整可能なレンズ機構を持つカメラであり、そのカメラのレンズからみた視野の撮影を行う。
【００２６】
制御部４は、無線部２と３とカメラ部６と外部音声入出力部５とにつながり、全体の機能実現を果たす。
【００２７】
操作器２００は、無線部２１、操作制御部２２、音源部２３、振動部（バイブレータ）２４、テンキー部２５、表示部２６、を具える。テンキー部２５とは、図２のキー部２０２及び操作ガイド部２０３を含み、表示部２６は図２の表示部２０１に相当し、音源部２３と振動部２４とは、音と振動とのどちらで作業員Ａに着信を感知させるかのために使う。無線部２１は、送信部２７と受信部２８とを有し、アンテナ２９を介して本体１００のアンテナ１５との間での無線通信を可能にする。
【００２８】
操作制御部２２は、無線部２１、音源部２３、振動部２４、テンキー部２５、表示部２６、の各部位につながり、操作処理全体の管理及び制御を行う。
【００２９】
かかる図３の実施例によれば、操作器２００のテンキー部２５、表示部２６を用いて通話やカメラ撮影などの操作を行い、これは操作制御部２２と無線部２１とアンテナ２９とを介して、本体１００へ送られる。本体１００ではアンテナ１５を介して無線部３がそれを受け取り、制御部４により上記操作処理を行い、また必要があれば無線部２とアンテナ９を介して無線基地局へ送られる。通話にあっては、イヤホンマイク３０を介して作業員Ａが、通話を行う。また、相手からの着信はアンテナ９を介して無線部１０が受け取り、操作器２００の振動部２４や音源部２３を通じて作業員Ａがこれを感知し、イヤホンマイクを通じて通話を行う。更に、カメラ撮影に際しては操作器２００の指示によりカメラ部６により所定の視野撮影を行う。
【００３０】
図４は、他の機能実現のための実施例図である。この実施例での機能とは、重要な１人又は２人程度の少数の相手との通話を本体１側の操作で可能とするものである。例えば、特定の相手と連絡を取りながら作業したり、特定の相手にのみ指示を仰ぎ、逐一作業結果を連絡するといった事例が該当する。
【００３１】
この場合、本体１００内に図４に示すように１人又は数人の相手発振番号記憶部１６を設け、且つ無線電話機本体１００にスイッチ１５をつけておく。スイッチ１５は、１人又はその数人分のスイッチを有し又は１つのスイッチのＯＮ回数にて相手先を特定できるようにしておき、それを押下することで、対応する発振番号を記憶部１６から読み出し、制御部４、無線部２、アンテナ９を介して相手へ送り、通話を行う。
【００３２】
もし、こうした１人又は数人の相手のみとの通話のみの機能で済む場合には、操作器２００及び操作用無線部３は不要となる。
【００３３】
更に、作業員Ａが転倒したりして作業中止の恐れを防止するには、無線電話機本体１００に転倒センサをつけておき、転倒センサの働きにより緊急連絡用の相手先へ自動コールができるような機能を付加すればよい。
【００３４】
また、転倒の他に予期せぬ事故の発生への対策として、作業員Ａが自分で緊急操作できる緊急用スイッチを設けておくやり方もある。
【００３５】
カメラ部６は、作業現場の確認や作業の確認のために使っているが、緊急用の監視カメラとしても利用できる。この場合、カメラの映像を相手先に送り事故の恐れなどの監視に利用し、事故の恐れがあれば作業中止や別作業を行わせるような指示を通話により行う。また、本体内に事故解析し危険があるか否かの画像解析手段を設けておき、カメラの映像を取込解析させて、危険と判断したときに作業中止の人工的コールをイヤホンを通じて作業員に送るというやり方もある。
【図面の簡単な説明】
【００３６】
【図１】本発明の無線電話機の着用例を示す図である。
【図２】本発明の操作器の外観例図である。
【図３】本発明の昨日実現回路例図である。
【図４】本発明の他の機能実現回路例図である。
【図５】従来の無線電話機の着用例を示す図である。
【符号の説明】
【００３７】
１００    無線電話機本体
１０１    ヘルメット
１０３    マイク
１０４    イヤホン
２００    操作器
【図１】
2009171002.tif 000003
【図２】
2009171002.tif 000004
【図３】
2009171002.tif 000005
【図４】
2009171002.tif 000006
【図５】
2009171002.tif 000007